(57)【要約】【課題】印刷物に記録される文字を文字データに変換した結果を含むデジタルデータを利用して、所望の情報に効率的にアクセスできるようにする。【解決手段】印刷用データに基づいて取得されるメタ情報であって、文字が持つ意味を示すメタ情報との関連において、字形変形を施した状態で印字を行うように制御する印刷制御部１２と、印刷物の読み取り画像を入力して文字データを含むデジタルデータを生成する際に、文字の字形変形に対応するメタ情報を生成することにより、文字データの他にメタ情報を含むデジタルデータを生成するデジタル化部とを備え、文字の字形変形という態様で印刷物自体にメタ情報を埋め込み、この印刷物を読み取ってデジタルデータを生成する際に、字形変形を認識してそれに対応するメタ情報を生成することにより、メタ情報と文字データとを用いた情報の検索を行うことができるようにする。【選択図】図２
2020154487.tif 000002
【特許請求の範囲】
【請求項１】
少なくとも文字データを含む印刷用データを取得する印刷用データ取得部と、
上記印刷用データを用いて、印刷の実行に関する制御を行う印刷制御部と、
上記印刷制御部による制御に基づく印刷により作成された印刷物の読み取り画像を入力する読み取り画像入力部と、
上記読み取り画像に基づいて、上記印刷物に記録されている文字に対応する文字データを含むデジタルデータを生成するデジタル化部とを備え、
上記印刷制御部は、上記印刷用データに含まれる文字データに基づいて印字を行う際に、上記印刷用データに基づいて取得されるメタ情報であって、上記文字データで表される文字が持つ意味を示すメタ情報との関連において、指定フォントにより示される字形に対して変形を施した状態で印字を行うように制御し、
上記デジタル化部は、上記印刷物に記録されている文字をデジタルの文字データに変換する際に、上記印刷物に記録されている文字に対する字形の変形を認識し、字形変形の内容とメタ情報の内容とを関連付けて記憶した変形関連情報を参照して、上記認識した変形に対応するメタ情報を生成することにより、上記文字データの他に上記メタ情報を含むデジタルデータを生成することを特徴とする印刷物を介したメタ情報伝達システム。
【請求項２】
上記印刷用データは、印刷用フォームに関するフォームデータと、上記印刷用フォームに挿入する文字データとを含む可変印刷用データであり、上記フォームデータが上記メタ情報を有しており、
上記印刷制御部は、上記印刷用フォームが有している１以上のフィールドに文字データを挿入して印字を行う際に、上記フォームデータが上記１以上のフィールドにそれぞれ対応して有しているメタ情報との関連において、上記１以上のフィールドにそれぞれ挿入される文字データに対する指定フォントにより示される字形に対して変形をそれぞれ施した状態で印字を行うように制御することを特徴とする請求項１に記載の印刷物を介したメタ情報伝達システム。
【請求項３】
上記印刷用データは、１以上の文字データおよび他の印刷すべき情報に関する他データを含む統合データであり、上記統合データに付随して上記メタ情報を有しており、
上記印刷制御部は、上記統合データに含まれる文字データに基いて印字を行う際に、上記文字データに対応する上記メタ情報との関連において、上記１以上の文字データに対する指定フォントにより示される字形に対して変形をそれぞれ施した状態で印字を行うように制御することを特徴とする請求項１に記載の印刷物を介したメタ情報伝達システム。
【請求項４】
上記印刷用データは、上記文字データで表される文字が持つ意味を示すメタ情報に相当するデータ項目と、当該データ項目に対応する実際のデータ値に相当する上記文字データとを含む構造化データであり、
上記印刷制御部は、上記構造化データに含まれる文字データに基づいて印字を行う際に、上記データ項目で示される上記メタ情報との関連において、上記データ項目に属する１以上の文字データに対する指定フォントにより示される字形に対して変形をそれぞれ施した状態で印字を行うように制御することを特徴とする請求項１に記載の印刷物を介したメタ情報伝達システム。
【請求項５】
上記メタ情報の内容と、当該メタ情報の内容に応じて施すべき字形変形の内容とを関連付けて成る変形関連情報をあらかじめ記憶した変形関連情報記憶部を更に備え、
上記印刷制御部は、上記印刷用データに含まれる文字データに基づいて印字を行う際に、上記変形関連情報記憶部に記憶されている上記変形関連情報を参照し、上記指定フォントにより示される字形に対して、上記メタ情報に関連付けられている字形変形を施した状態で印字を行うように制御し、
上記デジタル化部は、上記印刷物に記録されている文字に対する字形の変形を認識し、認識した変形に対応するメタ情報を生成する際に、上記変形関連情報記憶部に記憶されている変形関連情報を参照し、上記認識した変形に関連付けられているメタ情報を生成することを特徴とする請求項１〜４の何れか１項に記載の印刷物を介したメタ情報伝達システム。
【請求項６】
上記印刷用データに含まれる文字データに基づいて印字を行う際に施された字形変形の内容と、上記印刷用データに基づいて取得された上記メタ情報の内容とを関連付けて変形関連情報として記憶部に登録する変形関連情報登録部を更に備え、
上記印刷制御部は、上記印刷用データに含まれる文字データに基づいて印字を行う際に、上記指定フォントにより示される字形に対して任意の変形を施した状態で印字を行うように制御し、  
上記変形関連情報登録部は、上記印刷制御部の制御に基づき施される字形変形の内容に対して、当該字形変形の対象とされた上記文字データに対して取得されたメタ情報を関連付けて上記変形関連情報として上記記憶部に登録し、
上記デジタル化部は、上記印刷物に記録されている文字に対する字形の変形を認識し、認識した変形に対応するメタ情報を生成する際に、上記記憶部に登録されている変形関連情報を参照し、上記認識した変形に関連付けられているメタ情報を生成することを特徴とする請求項１〜４の何れか１項に記載の印刷物を介したメタ情報伝達システム。
【請求項７】
上記デジタル化部により生成された上記デジタルデータを用いてデータ処理を行うことにより新たなデジタルデータを生成するデータ処理部を更に備え、
上記データ処理部は、上記デジタルデータに含まれる上記メタ情報を利用して、上記新たなデジタルデータに含まれる文字データに対応するメタ情報を生成することを特徴とする請求項１〜６の何れか１項に記載の印刷物を介したメタ情報伝達システム。
【請求項８】
上記印刷用データ取得部は、上記データ処理部により生成された上記新たなデジタルデータを、上記印刷用データとして取得することを特徴とする請求項７に記載の印刷物を介したメタ情報伝達システム。
【請求項９】
上記印刷制御部が上記指定フォントにより示される字形に施す変形は、印刷物を目視する人には容易に認識されない程度の微細な変形であることを特徴とする請求項１〜８の何れか１項に記載の印刷物を介したメタ情報伝達システム。
【請求項１０】
少なくとも文字データを含む印刷用データを取得する印刷用データ取得部と、
上記印刷用データを用いて印刷の実行に関する制御を行い、上記印刷用データに含まれる文字データに基づいて印字を行う際に、上記印刷用データに基づいて取得されるメタ情報であって、上記文字データで表される文字が持つ意味を示すメタ情報との関連において、指定フォントにより示される字形に対して変形を施した状態で印字を行うように制御する印刷制御部とを備えたことを特徴とする印刷制御装置。
【請求項１１】
請求項１０に記載の印刷制御装置による制御に基づく印刷により作成された印刷物の読み取り画像を入力する読み取り画像入力部と、
上記読み取り画像に基づいて、上記印刷物に記録されている文字に対応する文字データを含むデジタルデータを生成するデジタル化部を備え、
上記デジタル化部は、上記印刷物に記録されている文字をデジタルの文字データに変換する際に、上記印刷物に記録されている文字に対する字形の変形を認識し、字形変形の内容とメタ情報の内容とを関連付けて記憶した変形関連情報を参照して、上記認識した変形に対応するメタ情報を生成することにより、上記文字データの他に上記メタ情報を含むデジタルデータを生成することを特徴とする印刷物読取装置。
【請求項１２】
印刷制御装置の印刷用データ取得部が、少なくとも文字データを含む印刷用データを取得するステップと、
上記印刷制御装置の印刷制御部が、上記印刷用データを用いて印刷の実行に関する制御を行い、上記印刷用データに含まれる文字データに基づいて印字を行う際に、上記印刷用データに基づいて取得されるメタ情報であって、上記文字データで表される文字が持つ意味を示すメタ情報との関連において、指定フォントにより示される字形に対して変形を施した状態で印字を行うように制御するステップとを有することを特徴とする印刷物に対するメタ情報付与方法。
【請求項１３】
印刷物読取装置の読み取り画像入力部が、請求項１０に記載の印刷制御装置による制御に基づく印刷により作成された印刷物の読み取り画像を入力するステップと、
上記印刷物読取装置のデジタル化部が、上記読み取り画像に基づいて、上記印刷物に記録されている文字に対応する文字データを含むデジタルデータを生成するステップとを有し、
上記デジタル化部は、上記印刷物に記録されている文字をデジタルの文字データに変換する際に、上記印刷物に記録されている文字に対する字形の変形を認識し、字形変形の内容とメタ情報の内容とを関連付けて記憶した変形関連情報を参照して、上記認識した変形に対応するメタ情報を生成することにより、上記文字データの他に上記メタ情報を含むデジタルデータを生成することを特徴とする印刷物からのメタ情報取得方法。
【発明の詳細な説明】
【技術分野】
【０００１】
本発明は、印刷物を介したメタ情報伝達システム、印刷制御装置、印刷物読取装置、印刷物に対するメタ情報付与方法および印刷物からのメタ情報取得方法に関し、特に、印刷物に記録される情報の意味を表すメタ情報を伝達するシステムに用いて好適なものである。
【背景技術】
【０００２】
一般に、各種の情報を伝達する手段として、印刷物が広く使われている。印刷物とは、ある人（送り手）から別の人（受け手）へ何等かの情報を伝えるためのものであり、伝えるべき情報を表す文字や図形、画像等が紙媒体上に記録（印刷）されたものをいう。印刷物を用いた情報伝達は、基本的に、これを受け取った人の目視を通じて行われる。すなわち、受け手は、印刷物に記録されている情報を目視し、その意味を解釈する。
【０００３】
人（受け手）が印刷物から何等かの情報を得たいと考えた場合、まず、得たい情報が記録されている印刷物を探す必要がある。目的とする印刷物を探すことも、基本的には人の目視を通じて行われる。得たい情報がどの印刷物のどのページのどの位置に記録されているかを明確に憶えている場合はよいが、そうでない場合は、目的の印刷物を探すのに相当の労力を要することが多い。場合によっては、目的の印刷物を探し出すことができないこともある。
【０００４】
そこで、得たい情報が記録された印刷物を効率的に探すことができるようにするため、あるいは、数ある印刷物の中から所望の情報を効率的に得ることができるようにするために、種々の工夫が行われている。その工夫の１つとして、ＩＴ（Information Technology）の活用がある。例えば、ＯＣＲ（Optical Character Recognition：光学的文字認識）と呼ばれる技術を用いて、印刷物に記録された文字をイメージスキャナやデジタルカメラによって読み取り、コンピュータが利用できるデジタルの文字コードに変換することにより、コンピュータにより所望の情報を検索できるようにすることが行われている。
【０００５】
しかしながら、このように印刷物の記録情報をデジタル化してコンピュータが利用可能なデータ形態としても、ユーザが欲しいと考える情報に対して直ちに（または効率的に）アクセスすることができない場合があるという問題があった。これは、以下に述べる理由に因るものである。
【０００６】
ＯＣＲでは、印刷物に記録されている文字をそのまま単に文字コードに変換しているだけで、その文字コードで表される文字または文字列が、どんな意味を持つ情報であるのかは特定されない。そのため、印刷物からデジタル化されたデータの中に同じ文字コード列が複数存在する場合に、コンピュータはそれらの文字コード列を異なる意味を持つ情報または同じ意味を持つ情報として識別することができない。
【０００７】
例えば、印刷物に記録された“５００”という数値について、印刷物を目視する人にとってはそれが周囲の情報から商品の「定価」を表すものであることを容易に解釈できる場合であっても、ＯＣＲによって文字コード化された“５００”という数値の意味が特定されないため、コンピュータ上では、その文字コードが商品の定価を表す数値であることを認識することができない。
【０００８】
そのため、例えばある商品の「定価」を表す数値としての“５００”、別の商品の「売値」を表す数値としての“５００”、商品の「在庫数」を表す数値としての“５００”などが混在している場合に、ユーザが定価５００円の商品に関する情報を得たいと思っても、“５００”という数値を検索キーとして入力すると、定価としての“５００”の他に、売値としての“５００”も在庫数としての“５００”も検索によって抽出されてしまう。この場合、ユーザは、検索された複数の“５００”が記述されている箇所を１つ１つ目視により確認しながら、目的とする定価の情報かどうかを確かめていく必要がある。このように、印刷物からＯＣＲによってデジタル化されたデータを使って検索を実行しても、欲しい情報に直ちに（または効率的に）アクセスすることができないことがあるのである。
【０００９】
なお、文字列に付加された音声情報を直感的かつ容易に認識できるようにするために、文字列データに関連付けられている音声情報をもとに、文字列データを印字するための個々の文字フォントに色情報の付与および変形を行うようにした技術が知られている（例えば、特許文献１参照）。
【先行技術文献】
【特許文献】
【００１０】
【特許文献１】特開平８−１７９７８９号公報
【発明の概要】
【発明が解決しようとする課題】
【００１１】
本発明は、上述した問題を解決するために成されたものであり、印刷物に記録された文字をデジタルの文字データに変換した結果を含むデジタルデータを利用して、所望の情報に効率的にアクセスできるようにすることを目的とする。
【課題を解決するための手段】
【００１２】
上記した課題を解決するために、本発明による印刷物を介したメタ情報伝達システムは、少なくとも文字データを含む印刷用データを用いて、印刷の実行に関する制御を行う印刷制御部と、当該印刷制御部による制御に基づく印刷により作成された印刷物の読み取り画像を入力し、当該印刷物に記録されている文字に対応する文字データを含むデジタルデータを生成するデジタル化部とを備える。ここで、印刷制御部は、印刷用データに基づいて取得されるメタ情報であって、上記文字データで表される文字が持つ意味を示すメタ情報との関連において、指定フォントにより示される字形に対して変形を施した状態で印字を行うように制御する。また、デジタル化部は、印刷物に記録されている文字をデジタルの文字データに変換する際に、印刷物に記録されている文字に対する字形の変形を認識し、字形変形の内容とメタ情報の内容とを関連付けて記憶した変形関連情報を参照して、上記認識した変形に対応するメタ情報を生成することにより、文字データおよびメタ情報を含むデジタルデータを生成する。
【発明の効果】
【００１３】
上記のように構成した本発明によれば、印字文字の字形変形という態様で印刷物自体にメタ情報が埋め込まれ、この印刷物を読み取って文字データを含むデジタルデータを生成する際に、印字文字の字形変形を認識してそれに対応するメタ情報が生成されるので、このメタ情報と文字データとを用いた情報の検索が可能となる。これにより、印刷物に記録される文字をデジタルの文字データに変換した結果を含むデジタルデータを利用して、所望の情報に効率的にアクセスすることができるようになる。
【図面の簡単な説明】
【００１４】
【図１】第１の実施形態による印刷物を介したメタ情報伝達システムのハードウェア構成例を示す図である。
【図２】第１の実施形態による第１の端末の機能構成例を示すブロック図である。
【図３】フォームデータおよび印刷物の一例を示す図である。
【図４】第１の実施形態による第２の端末の機能構成例を示すブロック図である。
【図５】第１の実施形態による第１の端末の他の機能構成例を示すブロック図である。
【図６】第１の実施形態による第１の端末の他の機能構成例を示すブロック図である。
【図７】第２の実施形態による第１の端末の機能構成例を示すブロック図である。
【図８】第２の実施形態による第２の端末の機能構成例を示すブロック図である。
【発明を実施するための形態】
【００１５】
（第１の実施形態）
以下、本発明の第１の実施形態を図面に基づいて説明する。図１は、第１の実施形態による印刷物を介したメタ情報伝達システム（以下、単にメタ情報伝達システムという）のハードウェア構成例を示す図である。図１に示すように、第１の実施形態によるメタ情報伝達システムは、第１の端末１００と、当該第１の端末１００に接続されたプリンタ１０１と、第２の端末２００と、当該第２の端末２００に接続されたイメージスキャナ２０１とを備えて構成される。
【００１６】
第１の端末１００は、本発明の印刷制御装置を含むものであり、例えばパーソナルコンピュータ、タブレット端末、スマートフォン、ＰＯＳ（Point of sales）端末などにより構成される。第１の端末１００は、印刷に使用する印刷用データを用いて、プリンタ１０１に対する印刷の実行を制御する。
【００１７】
プリンタ１０１は、第１の端末１００から印刷用データと共に送られてくる印刷コマンドに従って印刷を実行し、紙媒体の印刷物３００を出力する。本実施形態では、印刷用データの中にメタ情報が含まれており、第１の端末１００およびプリンタ１０１は、このメタ情報を埋め込んだ状態で印刷物３００を生成する。これについての詳細は後述する。
【００１８】
イメージスキャナ２０１は、印刷物３００を光学的に読み取って、その読み取り画像を第２の端末２００に出力する。なお、イメージスキャナ２０１に代えてデジタルカメラを用いてもよい。その他、印刷物３００の内容を画像データに置換できる装置であれば何れを用いてもよい。
【００１９】
第２の端末２００は、本発明の印刷物読取装置を含むものであり、例えばパーソナルコンピュータ、タブレット端末、スマートフォンなどにより構成される。第２の端末２００をスマートフォンにより構成する場合、イメージスキャナ２０１に代えて、スマートフォンが有するデジタルカメラを用いてもよい。第２の端末２００は、イメージスキャナ２０１から読み取り画像を入力し、その画像中に含まれる文字画像をデジタルの文字データ（文字コード）に変換してデジタルデータを生成する。このとき、第２の端末２００は、印刷物３００に埋め込まれているメタ情報を再現し、文字データとメタ情報とを含むデジタルデータを生成する。これについての詳細も後述する。
【００２０】
なお、ここでは第１の端末１００と第２の端末２００とを別のものとして説明したが、同じものであってもよい。すなわち、例えば１つのパーソナルコンピュータにプリンタ１０１とイメージスキャナ２０１とを接続し、当該パーソナルコンピュータが第１の端末１００および第２の端末２００の機能を兼ね備える構成としてもよい。
【００２１】
図２は、第１の実施形態による第１の端末１００の機能構成例を示すブロック図である。図２に示すように、第１の端末１００は、機能構成として、印刷用データ取得部１１および印刷制御部１２を備えている。また、第１の端末１００は、記憶媒体として、フォームデータ記憶部１３、文字データ記憶部１４、フォントデータ記憶部１５および変形関連情報記憶部１６を備えている。なお、説明の便宜上、記憶部１３〜１６を４つに分けて図示しているが、これは必ずしも物理的に４つの記憶媒体に分けて情報を記憶することを必須とする趣旨ではなく、１つの記憶媒体にこれらの情報を記憶するようにしてもよい。
【００２２】
印刷用データ取得部１１および印刷制御部１２は、ハードウェア、ＤＳＰ（Digital Signal Processor）、ソフトウェアの何れによっても構成することが可能である。例えばソフトウェアによって構成する場合、印刷用データ取得部１１および印刷制御部１２は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２３】
印刷用データ取得部１１は、少なくとも文字データを含む印刷用データを取得する。本実施形態において、印刷用データは、印刷用フォームに関するフォームデータと、印刷用フォームに挿入する文字データとを含む可変印刷用データであり、印刷用データ取得部１１は、フォームデータ記憶部１３からフォームデータを取得するとともに、文字データ記憶部１４から文字データを取得する。
【００２４】
フォームデータ記憶部１３は、印刷用フォームに関するフォームデータを記憶している。フォームデータは、印刷物３００のどの位置に何の情報を印刷するかを定めた印刷用フォームを定めたものであり、文字（平仮名や片仮名、漢字、アルファベットのほか、数字や記号など、文字コードで表すことができるものをいう）に関する文字データや、図形、罫線、画像など（文字コードで表すことができないもの）に関する非文字データ、文字データ記憶部１４から取得した文字データを挿入するフィールドに関するデータを含んでいる。
【００２５】
フィールドに関するデータ（以下、フィールドデータという）は、印刷物３００の中での各フィールドの位置およびサイズを示すレイアウト情報と、各フィールドに挿入すべき文字データを関連付けるリンク情報と、各フィールドに挿入される文字データ（リンク情報で関連付けられた文字データ）に基づいて印字を行う際に使用するフォントの種類や文字サイズ、文字装飾の種類などを示す印刷属性情報と、各フィールドに挿入される文字データで表される文字が持つ意味を示すメタ情報とを含んでいる。文字が持つ意味とは、例えばその文字が商品の定価を意味するのか、売値を意味するのか、在庫数を意味するのかといったことである。
【００２６】
文字データ記憶部１４は、印刷用フォームが有している１以上のフィールドに挿入すべき文字データを記憶している。この文字データ記憶部１４に記憶される文字データは、フィールドデータのリンク情報により特定可能なものであればよく、そのデータ形式またはファイル形式は問わない。例えば、スプレッドシート形式またはＲＤＢ（Relational Database）形式のデータで、その内容に文字が含まれるものを文字データとして用いることが可能である。この場合のスプレッドシートまたはＲＤＢは、文字データ以外に非文字データを含むものであってもよい。
【００２７】
印刷制御部１２は、印刷用データ取得部１１により取得された印刷用データを用いて、プリンタ１０１に対する印刷の実行に関する制御を行う。印刷制御部１２は、印刷用データに含まれる文字データ（印刷用フォームのフィールドに挿入される文字データ）に基づいて印字を行う際に、印刷用データに含まれるメタ情報との関連において、指定フォントにより示される字形に対して変形を施した状態で印字を行うように制御する。
【００２８】
すなわち、印刷制御部１２は、印刷用フォームが有している１以上のフィールドに文字データを挿入して印字を行う際に、フォームデータが１以上のフィールドにそれぞれ対応して有しているメタ情報との関連において、１以上のフィールドにそれぞれ挿入される文字データに対する指定フォントにより示される字形に対して変形をそれぞれ施した状態で印字を行うように制御する。指定フォントとは、印刷属性情報により指定されたフォントである。また、字形の変形とは、例えば、字形の斜体化、太字化、回転、剪断、局所的な拡大または縮小といった画像変移である。この字形変形は、印刷物３００を目視する人には容易に認識されない程度の微細な変形とする。
【００２９】
印刷制御部１２は、フォントデータ記憶部１５に記憶されている複数種類のフォントデータのうち、指定フォントに係るフォントデータを用いて印字を実行する。このとき、印刷制御部１２は、変形関連情報記憶部１６に記憶されている変形関連情報に従って、指定フォントにより示される字形に対して所定の変形を行うように制御する。
【００３０】
変形関連情報記憶部１６は、メタ情報の内容と、当該メタ情報の内容に応じて施すべき字形変形の内容とを関連付けて成る変形関連情報をあらかじめ記憶している。変形関連情報は、例えば、メタ情報の内容が「商品の定価」である場合には字形変形の内容が「１度の右回転」であり、メタ情報の内容が「商品の売値」である場合には字形変形の内容が「１度の左回転」であり、メタ情報の内容が「商品の在庫数」である場合には字形変形の内容が「右方向１度の斜体化」といったように、メタ情報の内容と字形変形の内容とをあらかじめ関連付けた情報である。
【００３１】
変形関連情報記憶部１６は、少なくとも、フォームデータ記憶部１３に記憶されているフォームデータに含まれるフィールドデータが有している１以上のフィールドに対応するメタ情報について、当該メタ情報の内容と字形変形の内容とを関連付けた変形関連情報を記憶していればよい。なお、フォームデータ記憶部１３が複数種類のフォームデータを記憶している場合、変形関連情報記憶部１６は、それぞれのフォームデータに対応して変形関連情報を記憶する。この場合、フォームデータとそれに対応する変形関連情報とを何らかの識別情報（例えば、フォームＩＤ）により関連付ける。
【００３２】
印刷制御部１２は、印刷用フォームの各フィールドに挿入する文字データに基づいて印字を行う際に、変形関連情報記憶部１６に記憶されている変形関連情報を参照し、各フィールドの印刷属性情報により指定されたフォントにより示される字形に対して、各フィールドのメタ情報に関連付けられている字形変形を施した状態で印字を行うように制御する。この印字制御は、例えば以下のようにして行うことが可能である。すなわち、印刷制御部１２は、指定フォントに係るフォントデータをフォントデータ記憶部１５から読み出し、当該指定フォントによる文字画像を生成する。さらに、このようにして生成した文字画像に対して、メタ情報に関連付けられている字形変形を施すことにより、変形文字画像を生成する。そして、印刷制御部１２は、この変形文字画像を含むページ全体の画像をプリンタ１０１に出力することによって印刷を行うように制御する。
【００３３】
以上のように構成された第１の端末１００において実行される処理手順（メタ情報付与方法）は、以下の通りである。まず、印刷用データ取得部１１が、少なくとも文字データを含む印刷用データを取得する。次に、印刷制御部１２が、印刷用データ取得部１１により取得された印刷用データを用いて、プリンタ１０１に対する印刷の実行に関する制御を行うことにより、プリンタ１０１から印刷物３００を出力する。このとき、印刷制御部１２は、印刷用データに基づいて取得されるメタ情報に従って、指定フォントにより示される字形に対して変形を施した状態で印字を行うように制御する。
【００３４】
図３は、フォームデータ記憶部１３に記憶されるフォームデータと、当該フォームデータを利用して作成される印刷物３００の一例を示す図である。なお、ここでは要点を説明するため、フォームデータで示される印刷用フォームを単純化して模式的に示している。
【００３５】
図３（ａ）はフォームデータを示す。図３（ａ）に示すフォームデータは、「定価」という文字データ３１ａと、その文字データ３１ａの直下に配置された第１のフィールド４１ａと、「売値」という文字データ３２ａと、その文字データ３２ａの直下に配置された第２のフィールド４２ａとを含んでいる。また、文字データ３１ａと第１のフィールド４１ａとが罫線で囲まれ、文字データ３２ａと第２のフィールド４２ａとが罫線で囲まれている。
【００３６】
フォームデータは、第１のフィールド４１ａの位置およびサイズを示すレイアウト情報と、第１のフィールド４１ａに挿入すべき文字データ（文字データ記憶部１４に記憶されている文字データ）を関連付けるリンク情報と、第１のフィールド４１ａに挿入される文字データに基づいて印字を行う際に使用するフォントの種類や文字サイズ等を示す印刷属性情報と、第１のフィールド４１ａに挿入される文字データで表される文字が持つ意味を示すメタ情報とを含んでいる。第１のフィールド４１ａに関して、メタ情報は「商品の定価」という意味を表す情報である。
【００３７】
また、フォームデータは、第２のフィールド４２ａの位置およびサイズを示すレイアウト情報と、第２のフィールド４２ａに挿入すべき文字データを関連付けるリンク情報と、第２のフィールド４２ａに挿入される文字データに基づいて印字を行う際に使用するフォントの種類や文字サイズ等を示す印刷属性情報と、第２のフィールド４２ａに挿入される文字データで表される文字が持つ意味を示すメタ情報とを含んでいる。第２のフィールド４２ａに関して、メタ情報は「商品の売値」という意味を表す情報である。
【００３８】
図３（ｂ）は、図３（ａ）に示すフォームデータを利用して作成される印刷物３００の一例を示す。図３（ｂ）に示すように、印刷物３００は、「定価」という文字３１ｂと、その文字３１ｂの直下に配置された「５００円」という文字４１ｂと、「売値」という文字３２ｂと、その文字３２ｂの直下に配置された「４００円」という文字４２ｂとを含んでいる。また、文字３１ｂと文字４１ｂとが罫線で囲まれ、文字３２ｂと文字４２ｂとが罫線で囲まれている。
【００３９】
「５００円」という文字４１ｂは、第１のフィールド４１ａのリンク情報に基づいて文字データ記憶部１４から読み出された文字データが挿入されて印字された結果を示すものである。この文字４１ｂは、第１のフィールド４１ａの印刷属性情報により指定されるフォントの字形に対して、第１のフィールド４１ａのメタ情報に関連付けられている字形変形（１度の右回転）が施されたものとなっている。なお、図３（ｂ）では説明の便宜上、文字４１ｂが右回転されたものであることが分かるように、実際の回転角より大きく回転した状態を示している。実際の字形変形は、印刷物３００を目視する人には容易に認識されない程度の微細な変形であるので、人には文字４１ｂが殆ど回転していないように見える。
【００４０】
「４００円」という文字４２ｂは、第２のフィールド４２ａのリンク情報に基づいて文字データ記憶部１４から読み出された文字データが挿入されて印字された結果を示すものである。この文字４２ｂは、第２のフィールド４２ａの印刷属性情報により指定されるフォントの字形に対して、第２のフィールド４２ａのメタ情報に関連付けられている字形変形（１度の左回転）が施されたものとなっている。なお、図３（ｂ）では説明の便宜上、文字４２ｂが左回転されたものであることが分かるように、実際の回転角より大きく回転した状態を示している。実際の字形変形は、印刷物３００を目視する人には容易に認識されない程度の微細な変形であるので、人には文字４２ｂが殆ど回転していないように見える。
【００４１】
この印刷物３００を見た人は、「５００円」という文字４１ｂが「定価」という文字３１ｂの直下に印字されて罫線で囲まれていることにより、商品の定価が５００円であると認識することができる。同様に、印刷物３００を見た人は、「４００円」という文字４２ｂが「売値」という文字３２ｂの直下に印字されて罫線で囲まれていることにより、商品の売値が４００円であると認識することができる。
【００４２】
また、本実施形態では、「５００円」という文字４１ｂが商品の定価を意味するものであることをコンピュータでも認識できるようにするために、商品の定価を意味するメタ情報が字形変形（１度の右回転）という形で符号化されて印刷物３００に埋め込まれている。同様に、「４００円」という文字４２ｂが商品の売値を意味するものであることをコンピュータでも認識できるようにするために、商品の売値を意味するメタ情報が字形変形（１度の左回転）という形で符号化されて印刷物３００に埋め込まれている。
【００４３】
図４は、第１の実施形態による第２の端末２００の機能構成例を示すブロック図である。図４に示すように、第２の端末２００は、機能構成として、読み取り画像入力部２１、デジタル化部２２、データ検索部２３およびデータ処理部２４を備えている。また、第２の端末２００は、記憶媒体として、フォントデータ記憶部２５、変形関連情報記憶部２６およびデジタルデータ記憶部２７を備えている。なお、説明の便宜上、記憶部２５〜２７を３つに分けて図示しているが、これは必ずしも物理的に３つの記憶媒体に分けて情報を記憶することを必須とする趣旨ではなく、１つの記憶媒体にこれらの情報を記憶するようにしてもよい。
【００４４】
上記各機能ブロック２１〜２４は、ハードウェア、ＤＳＰ、ソフトウェアの何れによっても構成することが可能である。例えばソフトウェアによって構成する場合、各機能ブロック２１〜２４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００４５】
読み取り画像入力部２１は、第１の端末１００の印刷制御部１２による制御に基づく印刷により作成された印刷物３００の読み取り画像をイメージスキャナ２０１から入力する。デジタル化部２２は、印刷物３００に記録されている文字に対応する文字データ（文字コード）を含むデジタルデータを生成する。デジタル化部２２は、印刷物３００に記録されている文字をデジタルの文字データに変換する際に、印刷物３００に記録されている文字に対する字形の変形を認識し、認識した変形に対応するメタ情報を生成することにより、文字データの他にメタ情報を含むデジタルデータを生成する。
【００４６】
メタ情報の生成の際に、デジタル化部２２は、フォントデータ記憶部２５および変形関連情報記憶部２６にそれぞれ記憶されているデータを参照する。フォントデータ記憶部２５および変形関連情報記憶部２６は、それぞれフォントデータ記憶部１５および変形関連情報記憶部１６に記憶されているデータと同じデータをあらかじめ記憶している。すなわち、デジタル化部２２は、読み取り画像入力部２１により入力された読み取り画像に含まれる文字画像の字形と、フォントデータ記憶部２５から読み出したフォントデータにより示される文字の字形とを比較することにより、印刷物３００に記録されている文字（印刷用フォームの各フィールドに対応する位置に記録されている文字）に対する字形の変形の内容を認識する。そして、変形関連情報記憶部２６に記憶されている変形関連情報を参照し、認識した字形変形に関連付けられているメタ情報を得ることにより、字形変形に対応するメタ情報を生成する。
【００４７】
なお、第１の端末１００が備えるフォントデータ記憶部１５および変形関連情報記憶部１６を外部装置に設け、ＬＡＮ（Local Area Network）またはインターネット等の通信ネットワークを介して第１の端末１００および第２の端末２００から外部装置にアクセスしてフォントデータ記憶部１５および変形関連情報記憶部１６のデータを利用できるように構成してもよい。この場合、第１の端末１００からフォントデータ記憶部１５および変形関連情報記憶部１６を省略し、第２の端末２００からフォントデータ記憶部２５および変形関連情報記憶部２６を省略することが可能である。なお、変形関連情報記憶部１６，２６のみを外部装置に設ける構成としてもよい。
【００４８】
以上のように構成された第２の端末１００において実行される処理手順（メタ情報取得方法）は、以下の通りである。まず、読み取り画像入力部２１が、印刷物３００の読み取り画像を入力する。次に、デジタル化部２２が、読み取り画像入力部２１により入力された読み取り画像に基づいて、印刷物３００に記録されている文字に対応する文字データを含むデジタルデータを生成する。このとき、デジタル化部２２は、印刷物３００に記録されている文字に対する字形の変形を認識し、認識した変形に対応するメタ情報を生成することにより、文字データおよびメタ情報を含むデジタルデータを生成する。
【００４９】
デジタル化部２２は、生成したデジタルデータをデジタルデータ記憶部２７に記憶して保存する。このときデジタル化部２２は、印刷物３００上で印刷用フォームの各フィールドに対応する位置に記録されている文字をデジタル化した文字データと、その文字の字形変形を認識して生成したメタ情報とを関連付けてデジタルデータ記憶部２７に記憶する。デジタルデータ記憶部２７に記憶されたデジタルデータは、種々の目的のために利用することが可能である。
【００５０】
例えば、データ検索部２３により、所望の文字と、文字に関する所望の意味とを検索キーとしてデジタルデータの検索を行うことにより、所望の情報を抽出することができる。例えば、「５００」という数字と、「商品の定価」という意味とを検索キーとして検索を行うことにより、商品の定価を意味する「５００」という情報だけを抽出することができる。仮に、デジタルデータ記憶部２７に記憶されているデジタルデータの中に、商品の定価以外の意味を表す「５００」という数字が含まれていても、それらは検索によって抽出されず、定価５００円を意味する「５００」だけが抽出される。これにより、印刷物３００に記録された文字をデジタルの文字データに変換した結果を含むデジタルデータを利用して、所望の情報に効率的にアクセスすることができるようになる。
【００５１】
なお、以下のようにすることにより、所望の情報が記録されている印刷物３００の読み取り画像を検索することができるようにしてもよい。すなわち、読み取り画像入力部２１が読み取り画像を入力したときに、その読み取り画像に対して印刷物ＩＤを付与する。そして、その読み取り画像と、デジタル化部２２により生成されたデジタルデータとを印刷物ＩＤに関連付けてデジタルデータ記憶部２７に記憶させる。このようにすることにより、所望の文字と所望の意味とを検索キーとしてデジタルデータの検索を行い、検索キーに合致する情報が記録されているデジタルデータに対応する読み取り画像を抽出することが可能となる。
【００５２】
また、データ処理部２４により、デジタルデータ記憶部２７に記憶されたデジタルデータを用いてデータ処理を行うことにより、新たなデジタルデータを生成することも可能である。データ処理の内容は任意であるが、メタ情報を用いて行うことが有効な処理であることが好ましい。例えば、メタ情報で示される意味の文字を用いた統計処理や分析処理が一例として考えられる。
【００５３】
データ処理部２４は、デジタルデータに含まれるメタ情報を利用して、新たなデジタルデータに含まれる文字データに対応するメタ情報を生成する。そして、データ処理部２４は、生成した新たなデジタルデータ（統計処理や分析処理により生成された文字データと、その文字データに対応するメタ情報とを含む）をデジタルデータ記憶部２７に記憶して保存する。
【００５４】
ここで、あるメタ情報の文字データを使ってデータ処理した結果の文字データが、そのメタ情報で示される意味と同じ意味のデータであれば、データ処理により生成された文字データに対応するメタ情報も同じものを関連付ける。例えば、メタ情報が「商品の定価」の文字データ（数字）を使ってデータ処理した結果の文字データが商品の定価（定価の合計値や平均値など）であれば、新たなデジタルデータに含まれる文字データに対応するメタ情報も「商品の定価」とする。
【００５５】
一方、あるメタ情報の文字データを使ってデータ処理した結果の文字データが、そのメタ情報で示される意味とは異なる意味のデータであれば、データ処理により生成された文字データに対応するメタ情報は無しとする。あるいは、データ処理を行ったユーザが第２の端末２００を操作してメタ情報を入力することにより、データ処理により生成された文字データに対して、ユーザにより指定されたメタ情報を関連付けるようにしてもよい。
【００５６】
なお、ここでは、印刷物３００のデジタル化を行う第２の端末２００がデータ検索部２３およびデータ処理部２４を備える構成としたが、本発明はこれに限定されない。例えば、デジタルデータ記憶部２７に記憶されたデジタルデータを図示しないサーバ装置に記憶させるとともに、データ検索部２３およびデータ処理部２４をサーバ装置が備える構成としてもよい。この場合、サーバ装置に対してＬＡＮまたはインターネット等の通信ネットワークを介して接続された端末（第１の端末１００、第２の端末２００またはそれ以外の端末でもよい）からサーバ装置に処理要求を送信することによってデータ検索またはデータ処理を実行させ、その結果をサーバ装置から端末に送信する。
【００５７】
第１の端末１００の印刷用データ取得部１１は、データ処理部２４により生成された新たなデジタルデータ（デジタルデータ記憶部２７に記憶されたデジタルデータ、または上述のようにサーバ装置に記憶されたデジタルデータ）を、印刷用データとして取得するようにしてもよい。このようにして取得される新たなデジタルデータは、データ処理により生成された文字データと、その文字データに関連付けられたメタ情報とを含んでいる。従って、印刷制御部１２は、その文字データに基づいて印字を行う際に、変形関連情報記憶部１６を参照し、メタ情報に関連付けられている字形変形を施した状態で印字を行うように制御することができる。
【００５８】
このように、本実施形態では、印刷物３００をＯＣＲによりデジタル化して生成したデジタルデータ（文字データおよびメタ情報を含む）を利用したデータ処理によって新たなデジタルデータを生成した場合に、その新たなデジタルデータに基づいて印刷をするときにも、印刷物３００に記録される文字の意味を表すメタ情報を字形変形の態様で符号化して印刷物３００に埋め込むことができる。これにより、印刷物３００に記録される文字の意味を表すメタ情報を循環的に伝達することができる。
【００５９】
なお、上記実施形態では、フォームデータおよび文字データを印刷用データとして用いる例について説明したが、本発明はこれに限定されない。例えば、図５に示すように、フォームデータ記憶部１３および文字データ記憶部１４に代えて統合データ記憶部１７を備え、印刷用データとして、１以上の文字データおよび他の印刷すべき情報に関する他データを含む統合データ（メタ情報を付随情報として含む）を用いてもよい。統合データは、例えば、文書作成アプリケーションで作成されたデータ、表計算アプリケーションで作成されたデータ、作図アプリケーションで作成されたデータ、データベースアプリケーションで作成されたデータなどである。
【００６０】
このような統合データを印刷用データとして用いる場合、印刷制御部１２は、統合データに含まれる文字データに基づいて印字を行う際に、文字データに対応するメタ情報との関連において、１以上の文字データに対する指定フォントにより示される字形に対して変形（変形関連情報記憶部１６の変形関連情報によりメタ情報に関連付けられた字形変形）をそれぞれ施した状態で印字を行うように制御する。
【００６１】
ここで、どの文字データに対してどのメタ情報を対応させるかについては、所定の方法によりあらかじめ関連付けておく。例えば、上述したアプリケーションを使用して統合データを作成する際に、ユーザが所望の文字データを指定して、所望のメタ情報を関連付けるための操作を行うことにより、文字データとメタ情報との関連付けを行うようにする。この場合、統合データに付随してメタ情報を統合データ記憶部１７に記憶させる。
【００６２】
別の例として、図６に示すように、フォームデータ記憶部１３および文字データ記憶部１４に代えて構造化データ記憶部１８を備え、印刷用データとして、構造化データを用いるようにしてもよい。構造化データは、文字データで表される文字が持つ意味を示すメタ情報に相当するデータ項目と、当該データ項目に対応する実際のデータ値に相当する文字データとを含むデータであり、例えば、スプレッドシート形式またはＲＤＢ形式のデータである。
【００６３】
このような構造化データを印刷用データとして用いる場合、印刷制御部１２は、構造化データに含まれる文字データに基づいて印字を行う際に、データ項目で示されるメタ情報との関連において、そのデータ項目に属する１以上の文字データに対する指定フォントにより示される字形に対して変形（変形関連情報記憶部１６の変形関連情報によりメタ情報に関連付けられた字形変形）をそれぞれ施した状態で印字を行うように制御する。
【００６４】
以上詳しく説明したように、第１の実施形態によれば、印刷用データに基づいて印刷を行う際に、印字文字の字形変形という態様で印刷物３００にメタ情報を埋め込み、この印刷物３００を読み取って文字データを含むデジタルデータを生成する際に、印字文字の字形変形を認識してそれに対応するメタ情報を生成し、文字データとメタ情報とを含むデジタルデータを生成するようにしている。これにより、印刷物３００に記録される文字をデジタルの文字データに変換した結果を含むデジタルデータを利用して、メタ情報と文字データとを用いた情報の検索を行うことが可能となり、所望の情報に効率的にアクセスすることができるようになる。
【００６５】
（第２の実施形態）
次に、本発明の第２の実施形態を図面に基づいて説明する。第２の実施形態によるメタ情報伝達システムのハードウェア構成は、図１と同様である。ただし、第１の端末１００に代えて、これとは機能が異なる第１の端末１００’を用いる。また、第２の端末２００に代えて、これとは機能が異なる第２の端末２００’を用いる。
【００６６】
上述した第１の実施形態では、メタ情報の内容に対して、どのような字形変形を行うかをあらかじめ定めておいて、その内容を変形関連情報記憶部１６に記憶しておく例について説明した。これに対して、第２の実施形態によるメタ情報伝達システムは、第１の端末１００’で印刷を行うときに任意の字形変形を行い、その字形変形に対してメタ情報を関連付けることによって変形関連情報を生成して登録し、この登録した変形関連情報を第２の端末２００にて利用できるようにしたものである。
【００６７】
図７は、第２の実施形態による第１の端末１００’の機能構成例を示すブロック図である。図８は、第２の実施形態による第２の端末２００’の機能構成例を示すブロック図である。なお、この図７および図８において、それぞれ図２および図４に示した符号と同一の符号を付したものは同一の機能を有するものであるので、ここでは重複する説明を省略する。
【００６８】
図７に示すように、第１の端末１００’は、印刷制御部１２に代えて印刷制御部１２’を備えるとともに、変形関連情報記憶部１６に代えて変形関連情報登録部１９を備える。また、図８に示すように、第２の端末２００’は、デジタル化部２２に代えてデジタル化部２２’を備えるとともに、変形関連情報記憶部２６に代えて変形関連情報取得部２９を備える。
【００６９】
第１の端末１００’の印刷制御部１２’は、印刷用データ取得部１１により取得された印刷用データに含まれる文字データに基づいて印字を行う際に、指定フォントにより示される字形に対して任意の変形を施した状態で印字を行うように制御する。
【００７０】
変形関連情報登録部１９は、印刷制御部１２’の制御に基づき施される字形変形の内容に対して、当該字形変形の対象とされた文字データに対して取得されたメタ情報を関連付けることによって変形関連情報を生成し、生成した変形関連情報を外部装置４００に送信して登録する。具体的には、変形関連情報登録部１９は、印刷制御部１２’により文字データに対して実際に行われた字形変形の内容およびその文字データに対応するメタ情報を、第１の端末１００’に対してＬＡＮまたはインターネット等の通信ネットワークを介して接続された外部装置４００に送信し、当該送信した情報を変形関連情報として外部装置４００の記憶部に登録する。
【００７１】
第２の端末２００’の変形関連情報取得部２９は、デジタル化部２２’が印刷物３００に記録されている文字に対する字形の変形を認識し、認識した変形に対応するメタ情報を生成する際に、外部装置４００の記憶部に登録されている変形関連情報を取得する。デジタル化部２２’は、変形関連情報取得部２９により取得された変形関連情報を参照し、認識した字形変形に関連付けられているメタ情報を生成する。
【００７２】
このように構成した第２の実施形態によれば、上述した第１の実施形態のように変形関連情報をあらかじめ生成して変形関連情報記憶部１６，２６に記憶しておく必要がなく、印刷の実行時に行われる任意の字形変形に対して、リアルタイムにメタ情報を関連付けて変形関連情報を生成し、これを第１の端末１００’および第２の端末２００’で共有することができる。
【００７３】
なお、上記第２の実施形態では、図２および図４に対する変形として図７および図８を示し、印刷用データとして、フォームデータ（メタ情報を含む）と文字データとを含む可変印刷用データを用いる構成について説明したが、本発明はこれに限定されない。すなわち、図５のように印刷用データとして統合データを用いる構成にも第２の実施形態を適用することが可能である。また、図６のように印刷用データとして構造化データを用いる構成にも第２の実施形態を適用することが可能である。
【００７４】
フォームデータと文字データとを含む可変印刷用データを用いる場合は、印刷用フォームのフィールド毎にメタ情報があらかじめ定義されている。そのため、図２および図４に示したように、あらかじめ分かっているメタ情報に対して、所定の字形変形をあらかじめ決めておいて、変形関連情報をあらかじめ生成して変形関連情報記憶部１６，２６に記憶しておことが可能である。
【００７５】
これに対し、上述した統合データを印刷用データとして用いる場合、任意の場所に任意の意味の文字データが含まれ得るため、字形変形を行う対象の文字データと、その文字データに対応するメタ情報とがあらかじめ分かっていない場合が多い。構造化データの場合は、データ項目をメタ情報として使えるが、これもフォームデータのようにあらかじめ分かっているものではない。よって、第２の実施形態は、統合データまたは構造化データを印刷用データとして用いる場合に特に有効である。
【００７６】
なお、上記第２の実施形態では、変形関連情報を外部装置４００の記憶部に登録する例を示しているが、１つの端末が第１の端末１００’および第２の端末２００’の機能を兼ね備える構成とした場合は、その端末の記憶部に変形関連情報を登録するようにしてよい。
【００７７】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７８】
１１  印刷用データ取得部
１２，１２’  印刷制御部
１３  フォームデータ記憶部
１４  文字データ記憶部
１５  フォントデータ記憶部
１６  変形関連情報記憶部
１７  統合データ記憶部
１８  構造化データ記憶部
１９  変形関連情報登録部
２１  読み取り画像入力部
２２，２２’  デジタル化部
２３  データ検索部
２４  データ処理部
２５  フォントデータ記憶部
２６  変形関連情報記憶部
２９  変形関連情報取得部
１００，１００’  第１の端末（印刷制御装置）
１０１  プリンタ
２００，２００’  第２の端末（印刷物読取装置）
３００  印刷物  
【図１】
2020154487.tif 000003
【図２】
2020154487.tif 000004
【図３】
2020154487.tif 000005
【図４】
2020154487.tif 000006
【図５】
2020154487.tif 000007
【図６】
2020154487.tif 000008
【図７】
2020154487.tif 000009
【図８】
2020154487.tif 000010